(57)【要約】【課題】ボックスカバーの撓み変形を防止することができる配線・配管用ボックス及び配線・配管用ボックス装置を提供する【解決手段】配線・配管用ボックス２０は、底壁２２と該底壁２２の周縁から立設された側壁２３ａ〜２３ｄとから一面に開口を有する有底箱状に形成されたボックス本体２１を備えている。また、配線・配管用ボックス２０は、ボックス本体２１の前記開口側に内嵌された枠状のボックスカバー１０をボックス本体２１に固定する第１及び第２固定部２４，２９を備えている。ボックス本体２１の側壁２３ａ〜２３ｄの内面には、ボックスカバー１０の裏面に当接して該ボックスカバー１０を裏面側から支持する支持部としての保持片３２が設けられている。【選択図】      図１
2006304550.tif 000002
【特許請求の範囲】
【請求項１】
少なくとも一面に開口を有する箱状に形成されたボックス本体を備えるとともに、該ボックス本体の前記開口側に内嵌されたボックスカバーをボックス本体に固定する固定部をボックス本体に備えた配線・配管用ボックスにおいて、
前記ボックス本体の側壁の内面に前記ボックスカバーの裏面に当接して該ボックスカバーを裏面側から支持する支持部を設けたことを特徴とする配線・配管用ボックス。
【請求項２】
前記支持部は、前記ボックス本体の互いに相対向する位置に設けられた支持部が少なくとも一対設けられている請求項１に記載の配線・配管用ボックス。
【請求項３】
前記ボックス本体は多角箱状に形成され、前記支持部は少なくともボックス本体の周方向に沿った各側壁の中央に設けられている請求項１又は請求項２に記載の配線・配管用ボックス。
【請求項４】
前記ボックスカバーには配線器具を取り付けるための器具取付部が相対向する位置に対をなして設けられ、前記支持部は前記器具取付部と対応する位置に設けられている請求項１〜請求項３のうちいずれか一項に記載の配線・配管用ボックス。
【請求項５】
前記器具取付部は複数対が並設され、前記支持部は隣り合う器具取付部の間に位置するように設けられている請求項４に記載の配線・配管用ボックス。
【請求項６】
前記支持部は、ボックス本体の内部を仕切る仕切板の端縁を保持するための保持部を兼用している請求項１〜請求項５のうちいずれか一項に記載の配線・配管用ボックス。
【請求項７】
ボックスカバーと、
少なくとも一面に開口を有する箱状に形成されたボックス本体を備えるとともに、該ボックス本体の前記開口側に内嵌された前記ボックスカバーをボックス本体に固定する固定部をボックス本体に備えた配線・配管用ボックスとより構成され、
前記ボックス本体の側壁の内面に前記ボックスカバーの裏面に当接して該ボックスカバーを裏面側から支持する支持部を設けたことを特徴とする配線・配管用ボックス装置。
【請求項８】
前記ボックスカバーの裏面には、前記支持部の端部が入り込む凹部が凹設されており、該凹部の内面と前記支持部の端部の当接によってボックスカバーの移動が規制される請求項７に記載の配線・配管用ボックス装置。
【発明の詳細な説明】
【技術分野】
【０００１】
本発明は、ボックスカバーと、配線・配管用ボックスとより構成される配線・配管用ボックス及び配線・配管用ボックス装置に関する。
【背景技術】
【０００２】
従来より、建築物の壁にコンセント等の配線器具を設置するために、有底四角箱状をなす配線用ボックスと、該配線用ボックスの開口側に取り付けられるボックスカバーとが使用されている（例えば、特許文献１参照。）。前記配線用ボックスは、その内側の四隅部にボス部を備えている。各ボス部にて配線用ボックスの開口側に臨む面には雌ねじ部が形成されている。
【０００３】
また、前記ボックスカバーは四角枠状をなすとともに、前記配線用ボックスの開口と対応する大きさに形成されている。ボックスカバーの四隅部には、該ボックスカバーを貫通する貫通孔が形成されている。さらに、ボックスカバーの相対向する一対の側片部の中央には、互いに対向する器具固定部が形成されている。この器具固定部は、前記配線器具をボックスカバーに固定するためにボックスカバーに形成されている。
【０００４】
そして、上記構成の配線用ボックスとボックスカバーを用いて配線器具を壁に設置するには、まず、配線用ボックスを建築物の柱等に固定し、その後、ボックスカバーの貫通孔から配線用ボックスの雌ねじ部にビスを挿通、螺合してボックスカバーを配線用ボックスの開口側に取り付ける。このとき、ボックスカバーは、配線用ボックスの内側に収容される状態で配線用ボックスに取り付けられる。このため、ボックスカバーが取り付けられた状態でも、配線用ボックスはその厚みが増すことがなく、壁厚の薄いところでも配線用ボックスを使用することが可能となっている。その後、ボックスカバーの器具固定部に配線器具が固定されると、配線器具が配線用ボックスに取り付けられ、壁に設置される。
【特許文献１】特開２００１−１６７４２号公報
【発明の開示】
【発明が解決しようとする課題】
【０００５】
ところで、ボックスカバーが配線用ボックスに取り付けられた状態では、ボックスカバーはその四隅部がボス部に支持されている。そして、ボックスカバーにて、ボス部が当接した部位（四隅部）以外は、該当接部位に比して配線用ボックスの深さ方向への強度が低くなっている。
【０００６】
ここで、前記器具固定部は、ボックスカバーの四隅部ではなく、側辺部において隣り合う隅部の間に形成されていることとなる。このため、例えば配線器具としてのコンセントが器具固定部に固定された状態において、コンセントに対してプラグを抜き差しする力が作用したとき、この力はコンセントから器具固定部を介して該器具固定部が形成された側辺部に作用する。すると、前記力が作用した側辺部は該力によって配線用ボックスの底側へ撓み、ボックスカバーが撓み変形してしまう。
【０００７】
本発明は、上記従来の技術に存在する問題点に着目してなされたものである。その目的とするところは、ボックスカバーの撓み変形を抑制することができる配線・配管用ボックス及び配線・配管用ボックス装置を提供することにある。
【課題を解決するための手段】
【０００８】
上記問題点を解決するために、請求項１に記載の発明は、少なくとも一面に開口を有する箱状に形成されたボックス本体を備えるとともに、該ボックス本体の前記開口側に内嵌されたボックスカバーをボックス本体に固定する固定部をボックス本体に備えた配線・配管用ボックスにおいて、前記ボックス本体の側壁の内面に前記ボックスカバーの裏面に当接して該ボックスカバーを裏面側から支持する支持部を設けたことを要旨とする。
【０００９】
請求項２に記載の発明は、請求項１に記載の配線・配管用ボックスにおいて、前記支持部は、前記ボックス本体の互いに相対向する位置に設けられた支持部が少なくとも一対設けられていることを要旨とする。
【００１０】
請求項３に記載の発明は、請求項１又は請求項２に記載の配線・配管用ボックスにおいて、前記ボックス本体は多角箱状に形成され、前記支持部は少なくともボックス本体の周方向に沿った各側壁の中央に設けられていることを要旨とする。
【００１１】
請求項４に記載の発明は、請求項１〜請求項３のうちいずれか一項に記載の配線・配管用ボックスにおいて、前記ボックスカバーには配線器具を取り付けるための器具取付部が相対向する位置に対をなして設けられ、前記支持部は前記器具取付部と対応する位置に設けられていることを要旨とする。
【００１２】
請求項５に記載の発明は、請求項４に記載の配線・配管用ボックスにおいて、前記器具取付部は複数対が並設され、前記支持部は隣り合う器具取付部の間に位置するように設けられていることを要旨とする。
【００１３】
請求項６に記載の発明は、請求項１〜請求項５のうちいずれか一項に記載の配線・配管用ボックスにおいて、前記支持部は、ボックス本体の内部を仕切る仕切板の端縁を保持するための保持部を兼用していることを要旨とする。
【００１４】
請求項７に記載の発明は、ボックスカバーと、少なくとも一面に開口を有する箱状に形成されたボックス本体を備えるとともに、該ボックス本体の前記開口側に内嵌された前記ボックスカバーをボックス本体に固定する固定部をボックス本体に備えた配線・配管用ボックスとより構成され、前記ボックス本体の側壁の内面に前記ボックスカバーの裏面に当接して該ボックスカバーを裏面側から支持する支持部を設けたことを要旨とする。
【００１５】
請求項８に記載の発明は、請求項７に記載の配線・配管用ボックス装置において、前記ボックスカバーの裏面には、前記支持部の端部が入り込む凹部が凹設されており、該凹部の内面と前記支持部の端部の当接によってボックスカバーの移動が規制されることを要旨とする。
【発明の効果】
【００１６】
本発明によれば、ボックスカバーの撓み変形を抑制することができる。
【発明を実施するための最良の形態】
【００１７】
以下、本発明を具体化した配線・配管用ボックス及び配線・配管用ボックス装置の一実施形態を図１〜図６にしたがって説明する。なお、以下の説明においてボックスカバー１０及び配線・配管用ボックス２０の「上」「下」「左」「右」「前」「後」は、図１に示す矢印Ｙ１の方向を上下方向とし、矢印Ｙ２の方向を左右方向とし、矢印Ｙ３の方向を前後方向とする。
【００１８】
図１に示すように、配線・配管用ボックス装置Ｍは、一面に開口を有する四角箱状をなす配線・配管用ボックス２０と、該配線・配管用ボックス２０が備えるボックス本体２１の開口側に取り付けられるボックスカバー１０とから構成されている。
【００１９】
まず、ボックスカバー１０について説明する。ボックスカバー１０は合成樹脂材料によって四角枠状に形成されている。ここで、図１において矢印Ｙ１に示す上下方向に相対向するボックスカバー１０の側辺部を上側辺部１２ａ及び下側辺部１２ｂとし、矢印Ｙ２に示す左右方向に相対向する側辺部を左側辺部１２ｃ及び右側辺部１２ｄとする。
【００２０】
ボックスカバー１０の四隅部には、ボックスカバー１０を貫通して挿通孔１３が形成されており、各挿通孔１３はビスＢを挿通可能に形成されている。図４に示すように、ボックスカバー１０の各側辺部１２ａ〜１２ｄの裏面であって、ボックスカバー１０の周方向に沿った各側辺部１２ａ〜１２ｄの中央（各側辺部１２ａ〜１２ｄの長さ方向中央）にはそれぞれ凹部１４が凹設されている。
【００２１】
また、図３及び図４に示すように、ボックスカバー１０の相対向する一対の側辺部（上側辺部１２ａ及び下側辺部１２ｂ）にはそれぞれ器具取付部１５が二つずつ設けられている。上側辺部１２ａ及び下側辺部１２ｂにおいて、器具取付部１５は前記凹部１４と隣り合う隅部との間に設けられている。そして、器具取付部１５は、上下に相対向する位置に設けられた対をなす器具取付部１５で一つの配線器具を取付可能とし、ボックスカバー１０には二対の器具取付部１５が設けられている。
【００２２】
各器具取付部１５は、ボックスカバー１０の枠内に向かって突設されている。各器具取付部１５には金属材料製のナット（図示せず）が埋設されている。各器具取付部１５の一面（前面）には、前記ナットに対応して器具取付孔１５ａが形成されている。また、上側辺部１２ａ及び下側辺部１２ｂにおいて、ボックスカバー１０の一対角線上に対向する位置（ボックスカバー１０の左上側と右下側）に設けられた器具取付部１５には、前記器具取付孔１５ａに並んでビス溝１５ｂが形成されている。
【００２３】
各ビス溝１５ｂは、それぞれボックスカバー１０の外縁から内縁側に向かって上側辺部１２ａ及び下側辺部１２ｂを切り欠いて形成されている。各ビス溝１５ｂにて、ボックスカバー１０の外縁側にはその内縁側よりも幅広な幅広部１５ｄが形成されている。前記ビス溝１５ｂが形成された器具取付部１５において、前記ビス溝１５ｂよりもボックスカバー１０の内縁側には係止孔１５ｃが器具取付部１５を貫通して形成されている。
【００２４】
次に、前記配線・配管用ボックス２０について説明する。図１及び図２に示すように、配線・配管用ボックス２０が備えるボックス本体２１は、四角板状をなす底壁２２と、その底壁２２の四側周縁に立設された四側壁２３ａ〜２３ｄとから一面（本実施形態では前面とする）に開口を有する有底四角箱状に形成されている。ここで、図１において矢印Ｙ１に示す上下方向に相対向する側壁を上側壁２３ａ及び下側壁２３ｂとし、矢印Ｙ２に示す左右方向に相対向する側壁を左側壁２３ｃ及び右側壁２３ｄとする。そして、配線・配管用ボックス２０において、ボックス本体２１の開口の大きさ、すなわち、四側壁２３ａ〜２３ｄに囲み形成される空間の大きさは前記ボックスカバー１０の外形サイズよりわずかに大きく形成されている。このため、ボックス本体２１の内側には、ボックスカバー１０を嵌め込むこと（内嵌）が可能となっている。
【００２５】
ボックス本体２１の対向する一対の側壁（上側壁２３ａ及び下側壁２３ｂ）の内面であってボックス本体２１の一方の対角線上に対向する位置（上側壁２３ａの左側と下側壁２３ｂの右側）には、ボックスカバー１０をボックス本体２１に固定するための固定部としての第１固定部２４が設けられている。各第１固定部２４には金属材料製のナット（図示せず）が埋設されている。
【００２６】
各第１固定部２４にてボックス本体２１の開口に臨む面（前面）には第１当接面２４ａが形成されている。第１固定部２４は、前記第１当接面２４ａがボックス本体２１の開口端より底壁２２側へ後退するようにボックス本体２１に設けられている。各第１固定部２４の基端部はその他の部位に比して肉厚に形成されている（図１及び図６参照）。第１固定部２４の基端部を肉厚に形成することにより、第１固定部２４の強度を確保している。第１当接面２４ａには、第１固定部２４内のナットに対応してビス孔２４ｂが形成されている。また、第１当接面２４ａには、ボックス本体２１の開口側へ突出する突片２４ｃが突設されている。
【００２７】
そして、図５及び図６に示すように、ボックスカバー１０をボックス本体２１の内側に嵌め込んだとき（内嵌したとき）、ボックス本体２１の開口側にて第１当接面２４ａには、ビス溝１５ｂが形成された器具取付部１５の裏面が当接するようになっている。このとき、ボックスカバー１０の前面がボックス本体２１の開口端と面一となるように第１当接面２４ａの後退量が設定されている。
【００２８】
また、ビス孔２４ｂはビス溝１５ｂと対応し、突片２４ｃは係止孔１５ｃ内に挿入される構成となっている。さらに、ビス溝１５ｂの幅広部１５ｄは、第１固定部２４の左右方向への幅よりわずかに大きく形成されている。このため、ボックスカバー１０をボックス本体２１の内側へ嵌め込んだとき、第１固定部２４にてその他の部位より肉厚たる基端部が前記幅広部１５ｄの内側に入り込む構成となっている。そして、ビス溝１５ｂからビス孔２４ｂにビスＢを螺入することによりボックスカバー１０をボックス本体２１に固定することができる。
【００２９】
図１及び図２に示すように、ボックス本体２１の他方の対角線上に対向する二つの隅部（右上の隅部と左下の隅部）には、ボックスカバー１０をボックス本体２１に固定するための固定部としての第２固定部２９が設けられている。各第２固定部２９は、各隅部を形成する隣り合う二側壁（右上の隅部は上側壁２３ａと右側壁２３ｄ、左下の隅部は下側壁２３ｂと左側壁２３ｃ）に沿って底壁２２から立設されている。
【００３０】
各第２固定部２９にてボックス本体２１の開口に臨む面（前面）には第２当接面２９ａが形成されている。第２固定部２９は、前記第２当接面２９ａがボックス本体２１の開口端より底壁２２側へ後退するようにボックス本体２１に設けられている。第２当接面２９ａにはビスＢを強制的に螺入するための螺入孔２９ｂが形成されている。
【００３１】
そして、図５に示すように、ボックスカバー１０をボックス本体２１の内側に嵌め込んだとき（内嵌したとき）、ボックス本体２１の開口側にて第２当接面２９ａには、ボックスカバー１０の二つの隅部の裏面が当接するようになっている。このとき、ボックスカバー１０の前面がボックス本体２１の開口端と面一となるように第２当接面２９ａの後退量が設定されている。また、螺入孔２９ｂは挿通孔１３と対応し、挿通孔１３から螺入孔２９ｂにビスＢを螺入することによりボックスカバー１０をボックス本体２１に固定することができる。
【００３２】
また、図１に示すように、上側壁２３ａ、下側壁２３ｂ、左側壁２３ｃ、及び右側壁２３ｄには、それぞれ電線管（図示せず）を接続するための接続孔２６が設けられている。なお、接続孔２６はノックアウト部２７によって閉鎖されており、接続孔２６にケーブルといった配線類をボックス本体２１内に配線したり、電線管といった配管類を接続する際にノックアウト部２７が接続孔２６から除去されるようになっている。
【００３３】
図２に示すように、ボックス本体２１の上側壁２３ａ、下側壁２３ｂ、左側壁２３ｃ、及び右側壁２３ｄには、ボックス本体２１内を仕切る仕切板３０（２点鎖線に示す）の端縁を保持する仕切板保持部３１が設けられている。この仕切板保持部３１は、各側壁２３ａ〜２３ｄに互いに相対向するように形成された一対の保持片３２より構成されている。図１に示すように、上側壁２３ａ及び下側壁２３ｂに設けられた仕切板保持部３１においては、一方の保持片３２は、底壁２２からボックス本体２１の開口側まで延びており、他方の保持片３２は底壁２２からボックス本体２１の深さ方向半分以下までしか延びていない。また、左側壁２３ｃ及び右側壁２３ｄに設けられた仕切板保持部３１においては、一対の保持片３２はそれぞれ底壁２２からボックス本体２１の開口側まで延びている。
【００３４】
そして、仕切板保持部３１は、ボックス本体２１の上下及び左右に互いに相対向する位置に対をなすように設けられている。すなわち、ボックス本体２１には、上下及び左右に互いに相対向する二つの仕切板保持部３１で一枚の仕切板３０の両端縁を保持して、該一枚の仕切板３０をボックス本体２１に取付可能としている。また、各仕切板保持部３１は、ボックス本体２１の周方向に沿った各側壁２３ａ〜２３ｄの中央（各側壁２３ａ〜２３ｄの長さ方向の中央）に設けられている。
【００３５】
図６に示すように、各仕切板保持部３１において、ボックス本体２１の開口側まで延びる保持片３２の端部３２ａは、ボックス本体２１の開口側から底壁２２側へ後退している。そして、ボックスカバー１０をボックス本体２１の内側に嵌め込んだとき、前記端部３２ａはボックスカバー１０の凹部１４の内面（裏面）に当接するようになっている。
【００３６】
このとき、ボックスカバー１０の前面がボックス本体２１の開口端と面一となるように凹部１４の凹み量及び端部３２ａの開口端からの後退量が設定されている。そして、仕切板保持部３１のうちボックス本体２１の開口側まで延びる保持片３２は、ボックス本体２１に内嵌されたボックスカバー１０の裏面に当接して該ボックスカバー１０を裏面側から支持する支持部を構成している。このため、ボックス本体２１にて支持部（保持片３２）は仕切板保持部３１を兼用していることとなる。
【００３７】
上記構成のボックスカバー１０と配線・配管用ボックス２０を用いて配線・配管用ボックス装置Ｍを構成するには、まず、ボックス本体２１の内側にボックスカバー１０を嵌め込む。突片２４ｃは係止孔１５ｃ内に挿入され、端部３２ａは凹部１４内に入り込む。すると、突片２４ｃの側面と係止孔１５ｃの内面との当接、及び凹部１４の内面と端部３２ａの側面との当接によって、ボックスカバー１０の移動が形成される。また、第１固定部２４の基端部がビス溝１５ｂの幅広部１５ｄに入り込み、第１固定部２４の基端部にボックスカバー１０の裏面が当接することが防止される。その結果、ボックス本体２１の内側にボックスカバー１０を嵌め込んだとき、第１固定部２４の基端部を肉厚にしたことによってボックスカバー１０がボックス本体２１の開口端より飛び出たり、ボックスカバー１０のボックス本体２１への内嵌状態が不安定となることが阻止される。
【００３８】
次いで、ビス溝１５ｂからビス孔２４ｂにビスＢを螺入し、挿通孔１３から螺入孔２９ｂにビスＢを螺入することによりボックスカバー１０がボックス本体２１に固定される。その結果、図５及び図６に示すように、ボックスカバー１０と配線・配管用ボックス２０とよりなる配線・配管用ボックス装置Ｍが構成される。その後、上下に対をなす二つの器具取付部１５に配線器具が一つずつ取り付けられ、ボックスカバー１０を介して配線・配管用ボックス２０に配線器具が取り付けられる。
【００３９】
ボックス本体２１の開口側にて、第１固定部２４の第１当接面２４ａ、及び第２固定部２９の第２当接面２９ａは、それぞれボックスカバー１０の裏面に当接している。すなわち、ボックスカバー１０の周方向に沿った上側辺部１２ａ及び下側辺部１２ｂの両側（長さ方向両側）が第１固定部２４及び第２固定部２９によって裏面側から支持される。このとき、ボックスカバー１０の前面がボックス本体２１の開口端と面一となっている。
【００４０】
また、ボックス本体２１の四側壁２３ａ〜２３ｄには仕切板保持部３１が設けられており、各保持片３２の端部３２ａがボックスカバー１０の四側辺部１２ａ〜１２ｄの凹部１４の内面（裏面）に当接し、各側辺部１２ａ〜１２ｄの中央を裏面側から支持している。また、上側辺部１２ａ及び下側辺部１２ｂを支持する保持片３２は、上側辺部１２ａ及び下側辺部１２ｂに設けられた二つの器具取付部１５の間（中央）に位置している。
【００４１】
そして、器具取付部１５に取り付けられた配線器具に対し、該配線器具をボックス本体２１内へ押し込む力が作用したとき、該力は器具取付部１５を介して上側辺部１２ａ及び下側辺部１２ｂに作用する。このとき、器具取付部１５が形成された上側辺部１２ａ及び下側辺部１２ｂは、ボックスカバー１０の周方向に沿った両側（長さ方向両側）が第１固定部２４及び第２固定部２９によって裏面側から支持されており、中央が保持片３２によって裏面側から支持されている。
【００４２】
このため、上側辺部１２ａ及び下側辺部１２ｂに作用した力は、第１固定部２４、第２固定部２９及び保持片３２の三箇所で受承されることとなり、上側辺部１２ａ及び下側辺部１２ｂは三点支持される。その結果として、上側辺部１２ａ及び下側辺部１２ｂが、前記力によってボックス本体２１の底壁２２側へ撓み変形することが抑制される。
【００４３】
また、左側辺部１２ｃ及び右側辺部１２ｄにおいても、第２固定部２９及び保持片３２の二箇所で支持されている。このため、左側辺部１２ｃ及び右側辺部１２ｄに前記力が作用してもボックス本体２１の底壁２２側へ撓み変形することが抑制される。
【００４４】
上記実施形態によれば、以下のような効果を得ることができる。
（１）ボックス本体２１には第１固定部２４及び第２固定部２９が設けられ、各側壁２３ａ〜２３ｄの内面には支持部としての保持片３２が設けられている。そして、第１固定部２４及び第２固定部２９によって上側辺部１２ａ及び下側辺部１２ｂの両側を裏面側から支持し、保持片３２によって各側辺部１２ａ〜１２ｄを裏面側から支持する構成とした。このため、例えば、ボックスカバー１０に取り付けられた配線器具に対し、該配線器具をボックス本体２１内へ押し込む力が作用しても、該力を第１及び第２固定部２４，２９に加え保持片３２でも受承することができる。したがって、ボックス本体２１に保持片３２が設けられていない場合とは異なり、ボックスカバー１０がボックス本体２１内へ撓み変形することを抑制することができる。その結果として、壁に設置された配線器具が壁内へ後退するといった不具合の発生を防止することができる。
【００４５】
（２）上下に相対向する保持片３２は、器具取付部１５が形成された上側辺部１２ａ及び下側辺部１２ｂを裏面側から支持する。このため、配線器具に力が作用したとき、器具取付部１５を介して力が最も作用することとなる上側辺部１２ａ及び下側辺部１２ｂが保持片３２によって支持されていることとなる。その結果、ボックスカバー１０において前記力によって最も撓み変形しやすい箇所が撓み変形することを防止することができる。
【００４６】
（３）保持片３２は、上側辺部１２ａ及び下側辺部１２ｂにて隣り合う器具取付部１５の中央を支持する位置に設けられている。このため、隣り合う器具取付部１５のうちいずれか一方に取り付けられた配線器具に力が作用しても該力を保持片３２によって受承することができる。
【００４７】
（４）保持片３２は、ボックス本体２１に仕切板３０を取り付けるとき、該保持片３２の端縁を保持する仕切板保持部３１を兼用している。このため、ボックス本体２１に支持部と仕切板保持部３１を別々に設ける場合に比してボックス本体２１の構成を簡易化することができる。
【００４８】
（５）ボックスカバー１０の各側辺部１２ａ〜１２ｄの裏面には、ボックスカバー１０をボックス本体２１に内嵌したとき、保持片３２の端部３２ａが入り込む凹部１４が凹設されている。そして、この凹部１４の内面と端部３２ａの側面とが互いに当接して各側辺部１２ａ〜１２ｄの長さ方向に沿ったボックスカバー１０の移動を規制することができる。
【００４９】
（６）第１固定部２４及び第２固定部２９は、第１当接面２４ａ及び第２当接面２９ａが開口側から底壁２２側へ後退するようにボックス本体２１に設けられている。そして、第１当接面２４ａ及び第２当接面２９ａの後退量は、ボックス本体２１に内嵌されたボックスカバー１０の前面とボックス本体２１の開口端が面一となるように設定されている。このため、配線・配管用ボックス装置Ｍを構成したとき、配線・配管用ボックス２０はその厚みが増すことがなく、壁厚の薄いところでも配線・配管用ボックス２０を使用することが可能となる。
【００５０】
（７）各側壁２３ａ〜２３ｄの内面には支持部としての保持片３２が形成されており、各保持片３２は各側辺部１２ａ〜１２ｄの中央を裏面側から支持する。したがって、左側辺部１２ｃ及び右側辺部１２ｄに関してもボックス本体２１の底壁２２側への力が作用してもボックス本体２１内へ撓み変形することを抑制することができる。その結果として、ボックスカバー１０全体の撓み変形を抑制することができる。
【００５１】
（８）第１固定部２４の基端部を肉厚に形成して第１固定部２４の強度を向上させた。また、ボックスカバー１０のビス溝１５ｂにて、ボックスカバー１０がボックス本体２１に内嵌されたとき、第１固定部２４と対応する位置に幅広部１５ｄを形成した。このため、第１固定部２４の基端部が肉厚に形成されていても、幅広部１５ｄに基端部を逃がすことができる。その結果として、第１固定部２４の基端部によってボックスカバー１０が不安定な状態になることを防止することができる。
【００５２】
なお、上記実施形態は以下のように変更してもよい。
・  配線・配管用ボックス装置Ｍのボックスカバー１０において、凹部１４を削除してもよい。このとき、端部３２ａがボックスカバー１０の裏面に当接したとき、ボックスカバー１０の前面とボックス本体２１の開口端が面一となるように保持片３２の端部３２ａの後退量が調整される。
【００５３】
・  支持部としての保持片３２は、仕切板保持部３１を兼用する構成としたが、例えば、各側壁２３ａ〜２３ｄの内面にボックスカバー１０を支持する支持部を保持片３２とは別に設けてもよい。又は、配線・配管用ボックス２０において、ボックス本体２１から仕切板保持部３１を削除するとともに、ボックス本体２１に支持部（例えば、各側壁２３ａ〜２３ｄ内面に突設された支持突起や支持片）だけ設ける構成としてもよい。
【００５４】
・  器具取付部１５を一対しか有しないボックスカバー１０が取り付けられるボックス本体２１においては、その器具取付部１５の裏面に支持部の端部が当接するように支持部を各側壁２３ａ〜２３ｄの内面に設けてもよい。この支持部は仕切板保持部３１（保持片３２）によって構成してもよく、仕切板保持部３１（保持片３２）とは別に設けてもよい。
【００５５】
・  仕切板保持部３１（保持片３２）を、器具取付部１５が形成された上側辺部１２ａ及び下側辺部１２ｂと対応する側壁（上側壁２３ａ及び下側壁２３ｂ）のみに設け、支持部としての保持片３２をボックス本体２１に一対だけ設けてもよい。逆に保持片３２を、器具取付部１５が形成されていない左側辺部１２ｃ及び右側辺部１２ｄと対応する側壁（左側壁２３ｃ及び右側壁２３ｄ）のみに設けてもよい。
【００５６】
・  上側壁２３ａ及び下側壁２３ｂにおいて、各器具取付部１５の真裏を支持可能とする位置に仕切板保持部３１（保持片３２）とは別の支持部を設けてもよい。
・  各側壁２３ａ〜２３ｄの中央以外の位置に仕切板保持部３１（保持片３２）とは別の支持部を設けてもよい。
【００５７】
・  図７に示すように、ボックス本体２１の上側壁２３ａ及び下側壁２３ｂが延長された配線・配管用ボックス２０と、上側辺部１２ａ及び下側辺部１２ｂが延長され、器具取付部１５が三箇所に形成されたボックスカバー１０とより配線・配管用ボックス装置Ｍを構成してもよい。このとき、配線・配管用ボックス２０において、隣り合う器具取付部１５の中央となる位置にそれぞれ仕切板保持部３１を設け、支持部としての保持片３２を隣り合う器具取付部１５の中央に設けてもよい。
【００５８】
このように構成した場合、上側辺部１２ａ及び下側辺部１２ｂは、ボックスカバー１０の周方向に沿った長さ（長さ方向への長さ）が実施形態より延長されているため、上側辺部１２ａ及び下側辺部１２ｂは底壁２２側へ撓み変形しやすくなっている。しかし、上側辺部１２ａ及び下側辺部１２ｂは、前記長さ方向に沿った両側が第１固定部２４及び第２固定部２９によって裏面側から支持され、それ以外では二箇所の保持片３２によって支持されている。このため、上側辺部１２ａ及び下側辺部１２ｂの撓み変形が抑制される。したがって、第１固定部２４及び第２固定部２９に加え、支持部（保持片３２）を設ける構成は、側辺部のボックスカバー１０の周方向に沿った長さが長いボックスカバー１０が内嵌される配線・配管用ボックス２０に適用するのが好ましい。
【００５９】
・  保持片３２を底壁２２からボックス本体２１の開口側まで延設して形成するのではなく、ボックス本体２１の開口側のみに形成してもよい。
・  配線・配管用ボックス２０を、前後両面に開口を有する箱状（枠状）に形成されたボックス本体２１を備えるものとしてもよい。
【００６０】
・  ボックスカバーとして、配線・配管用ボックス２０の開口の半分を閉塞するためにボックス本体２１に取り付けられるブランクカバーに具体化してもよい。このブランクカバーは、四角板状に形成され、その上下にはビスＢを挿通可能な透孔が形成されている。なお、実施形態の配線・配管用ボックス２０にブランクカバーを内嵌する場合には、配線・配管用ボックス２０には第１固定部２４が上下に相対向するように四つ設けられ、上下一対の第１固定部２４が二対設けられている。そして、ブランクカバーの透孔からいずれか一対の第１固定部２４にビスＢを螺合して、ブランクカバーを第１固定部２４に固定すると、配線・配管用ボックス２０の開口半分がブランクカバーによって閉塞される。この場合、左側壁２３ｃ又は右側壁２３ｄの保持片３２（支持部）によってブランクカバーが裏面側から支持され、例えば、ブランクカバーにボックス本体２１内へ押し込む力が作用しても、該力を保持片３２で受承することができる。したがって、ブランクカバーがボックス本体２１内へ撓み変形することを抑制することができる。
【００６１】
・  配線・配管用ボックス２０を丸箱状、六角箱状、五角箱状に形成してもよい。
・  上記変更例において、仕切板保持部３１（保持片３２）以外の支持部としては、側壁内面にてボックス本体２１開口側に突設された突起や、側壁内面にてボックス本体２１の深さ方向全体に延設された支持突条に具体化してもよい。
【００６２】
次に、上記実施形態及び別例から把握できる技術的思想について以下に追記する。
（１）前記固定部の側壁側たる基端部は肉厚に形成され、前記ボックスカバーには固定部へビスを挿通可能とするビス溝が形成されており、ボックスカバーをボックス本体の開口側に内嵌したとき前記ビス溝にて前記固定部の基端部と対応する位置には、該基端部が入り込む幅広部が形成されている請求項７又は請求項８に記載の配線・配管用ボックス装置。
【図面の簡単な説明】
【００６３】
【図１】実施形態の配線・配管用ボックス装置を示す分解斜視図。
【図２】実施形態の配線・配管用ボックスを示す正面図。
【図３】実施形態のボックスカバーを示す正面図。
【図４】実施形態のボックスカバーを示す背面図。
【図５】実施形態の配線・配管用ボックス装置を示す正面図。
【図６】実施形態の配線・配管用ボックス装置を示す図５の６−６線断面図。
【図７】別例の配線・配管用ボックス装置を示す正面図。
【符号の説明】
【００６４】
Ｍ…配線・配管用ボックス装置、１０…ボックスカバー、１４…凹部、１５…器具取付部、２０…配線・配管用ボックス、２１…ボックス本体、２３ａ…上側壁、２３ｂ…下側壁、２３ｃ…左側壁、２３ｄ…右側壁、２４…固定部としての第１固定部、２９…固定部としての第２固定部、３０…仕切板、３１…保持部としての仕切板保持部、３２…支持部としての保持片、３２ａ…端部。
【図１】
2006304550.tif 000003
【図２】
2006304550.tif 000004
【図３】
2006304550.tif 000005
【図４】
2006304550.tif 000006
【図５】
2006304550.tif 000007
【図６】
2006304550.tif 000008
【図７】
2006304550.tif 000009